(57)【要約】【課題】携帯電話などの携帯情報端末が備えているマイクロフォンを介して取得する音情報を利用し、携帯情報端末を操作している者が取得を希望する情報を、ネットワークを介して入手する。【解決手段】所定の付加情報が付加されている音情報を取得する音情報取得部と、音情報取得部で取得した音情報から前記付加情報を分離処理する付加情報分離処理部と、分離処理された付加情報で特定される情報提供サーバにアクセスする出力部とを有する携帯情報端末を備えている音情報を利用した携帯情報端末による情報取得支援システム。【選択図】図１
2007195105.tif 000002
【特許請求の範囲】
【請求項１】
所定の付加情報が付加されている音情報を取得する音情報取得部と、
当該音情報取得手段で取得した音情報から前記付加されている付加情報を分離処理する付加情報分離処理部と、
当該分離処理された付加情報で特定される情報提供サーバにアクセスする出力部と
を有する携帯情報端末を備えている
ことを特徴とする音情報を利用した携帯情報端末による情報取得支援システム。
【請求項２】
所定の付加情報が付加されている音情報を取得する音情報取得部と、
当該音情報取得手段で取得した音情報から前記付加されている付加情報を分離処理する付加情報分離処理部と、
当該分離処理された付加情報をテキストデータ又は音情報として出力する出力部と
を有する携帯情報端末を備えている
ことを特徴とする音情報を利用した携帯情報端末による情報取得支援システム。
【請求項３】
音情報に所定の付加情報を付加する付加情報付加手段と、
当該付加情報が付加されている音情報を出力する音情報出力手段と、
当該付加情報が付加されている音情報を取得する音情報取得部及び、当該音情報から前記付加されている付加情報を分離処理する付加情報分離処理部と、当該分離処理された付加情報で特定される情報提供サーバにアクセスする出力部とを有する携帯情報端末と
を備えていることを特徴とする音情報を利用した携帯情報端末による情報取得支援システム。
【請求項４】
音情報に所定の付加情報を付加する付加情報付加手段と、
当該付加情報が付加されている音情報を出力する音情報出力手段と、
当該付加情報が付加されている音情報を取得する音情報取得部及び、当該音情報から前記付加されている付加情報を分離処理する付加情報分離処理部と、当該分離処理された付加情報をテキストデータ又は音情報として出力する出力部とを有する携帯情報端末と
を備えていることを特徴とする音情報を利用した携帯情報端末による情報取得支援システム。
【請求項５】
音情報に所定の付加情報を付加する工程と、
当該付加情報が付加されている音情報を出力する工程と、
当該付加情報が付加されている音情報を取得する工程と、
当該取得した音情報から前記付加されている付加情報を分離処理する工程と、
当該分離処理された付加情報で特定される情報提供サーバにアクセスする工程と
を有することを特徴とする音情報を利用した携帯情報端末による情報取得方法。
【請求項６】
音情報に所定の付加情報を付加する工程と、
当該付加情報が付加されている音情報を出力する工程と、
当該付加情報が付加されている音情報を取得する工程と、
当該取得した音情報から前記付加されている付加情報を分離処理する工程と、
当該分離処理された付加情報をテキストデータ又は音情報として出力する工程と
を有することを特徴とする音情報を利用した携帯情報端末による情報取得方法。
【発明の詳細な説明】
【技術分野】
【０００１】
この発明は、音声や音楽などの音情報を利用した携帯情報端末による情報取得支援システム及び、情報取得方法に関する。特に、音情報に付加されている所定の付加情報を当該音情報から分離処理し、当該付加情報で特定される所定の情報配信サーバにアクセスして、所定の商品やサービスなどに関する情報等を取得したり、前記付加情報を当該音情報から分離処理し、当該付加情報からテキストデータや、記号・図形データ、あるいは、元の音情報とは異なる他の音情報を再生して利用する、声や音楽などの音情報を利用した携帯情報端末による情報取得支援システム及び情報取得方法に関する。
【背景技術】
【０００２】
従来から、二次元コードを利用し、携帯電話等の携帯情報端末に当該二次元コードを取り込み、これから当該二次元コードに含まれている、インターネット上における情報の記録位置を指示するＵＲＬを再生し、このＵＲＬで特定される情報配信サーバに当該携帯情報端末からアクセスし、当該情報配信サーバから、前記携帯情報端末を操作している者が取得を希望する情報を入手する情報提供システムが提案されている（例えば、特許文献１）。
【０００３】
また、放送局から送信される番組及びＣＦ等の放送信号に、ＵＲＬ等の指示情報及び該指示情報を検索するための商品名等の鍵情報のように、記録位置の特定に用いられる特定情報を埋込信号として埋め込み、特定情報を埋め込んだ放送信号を放送し、テレビなどの出力装置にて受信した放送信号を出力情報として出力中に、所定の操作をすることで、放送信号に埋め込まれている特定情報を取り出し、取り出した特定情報により示された記録位置に記録されている音楽情報等の商品を入手可能にする商品提供方法、放送信号送信方法、埋込信号取出方法、及び通信端末装置が提案されている（例えば、特許文献２）。
【特許文献１】特開２００５−７８２６３号公報
【特許文献２】特開２００２−２６８２９号公報
【発明の開示】
【発明が解決しようとする課題】
【０００４】
前記特許文献１記載の発明は、種々の場面で利用されているが、携帯情報端末、特に、携帯電話が備えている音声取得機能、例えば、携帯電話の通常の音声通話に使用される送話部などのマイクロフォンを利用し、このマイクロフォンを介して取得する音楽などの音情報を利用して、携帯情報端末を操作している者が希望する情報を、無線や有線のネットワークを介して取得したり、前記携帯情報端末で取得した音情報を利用してテキストデータや、記号・図形データ、あるいは、元の音情報とは異なる他の音情報を再生して使用する情報提供システムはいまだに提案されていない。
【０００５】
例えば、特許文献２記載の発明は、放送局から送信される番組及びＣＦ等の放送信号にＵＲＬに関する情報を埋込信号として埋め込み、これが埋め込まれている放送信号を放送し、テレビなどの出力装置で受信した放送信号を出力情報として出力中に、所定の操作を行って放送信号に埋め込まれている情報を取り出し、取り出した情報により示されたＵＲＬを利用して情報提供サーバにアクセスし、情報や商品入手を可能にするものでしかなかった。
【０００６】
そこで、本発明は、近年、多くの人が所持している携帯情報端末、特に、携帯電話などが備えている音取得機能、例えば、携帯電話の通常の音声通話に使用される送話部などのマイクロフォンを利用し、このマイクロフォンを介して取得する音楽などの音情報を利用して、携帯情報端末を操作している者が取得を希望する情報を、無線や有線のネットワークを介して入手したり、前記付加情報を当該音情報から分離処理し、当該付加情報からテキストデータや、記号・図形データ、あるいは、元の音情報とは異なる他の音情報を再生して利用する、音情報を利用した携帯情報端末による情報取得支援システム及び情報取得方法を提案することを目的にしている。
【課題を解決するための手段】
【０００７】
前記目的を達成するため、この発明は、所定の付加情報が付加されている音情報を取得する音情報取得部と、当該音情報取得部で取得した音情報から前記付加されている付加情報を分離処理する付加情報分離処理部と、当該分離処理された付加情報で特定される情報提供サーバにアクセスする出力部、又は当該分離処理された付加情報をテキストデータ又は音情報として出力する出力部とを有する携帯情報端末を備えていることを特徴とする音情報を利用した携帯情報端末による情報取得支援システムを提案するものである。
【０００８】
また、この発明は、音情報に所定の付加情報を付加する付加情報付加手段と、当該付加情報が付加されている音情報を出力する音情報出力手段と、当該付加情報が付加されている音情報を取得する音情報取得部及び、当該音情報から前記付加されている付加情報を分離処理する付加情報分離処理部と、当該分離処理された付加情報で特定される情報提供サーバにアクセスする出力部、又は当該分離処理された付加情報をテキストデータ又は音情報として出力する出力部とを有する携帯情報端末とを備えていることを特徴とする音情報を利用した携帯情報端末による情報取得支援システムを提案するものである。
【０００９】
前記において、元の音情報に付加される付加情報は、後述するように、本発明の音情報を利用した携帯情報端末による情報取得支援システム及び情報取得方法を提供する者が、インターネット等無線又は有線のネットワークに接続可能に設置しているウェッブサイトに対して、インターネット等のネットワークを介してアクセスする際に必要な、当該ウェッブサイトのＵＲＬを含む、あるいはこのようなＵＲＬを後述する付加情報分離処理部が行う処理動作によって前記の元の音情報に付加されている付加情報から再生することが可能な情報、あるいは、後述する付加情報分離処理部が行う処理動作によって前記の音情報に付加されている付加情報から後述するように、テキストデータや、記号・図形データ、あるいは、元の音情報とは異なる他の音情報を再生できる情報である。
【００１０】
このような付加情報を、元の音情報に付加する処理としては、例えば、元の音情報の音波の波形の間に前記のような付加情報をはさみ込む形式を採用することができる。
【００１１】
例えば、付加情報を音情報に付加する処理として、特開２００１−３４３９７４号公報に記載されているように、可聴周波数範囲内の信号でありながら雑音にならず、元の音楽データの音質の劣化を最小限に抑えながら、音楽データの編集、圧縮、コピー、変換などで消去されず、配信の経路、履歴を容易に特定できる音楽データ用の電子透かしを音楽情報に埋め込むものを採用できる。元の音楽データに対し、その調性に対応した協和音として、例えば、トニックペダルポイント及びドミナントペダルポイントでなる著作識別情報を含んだ電子透かし音を作成し、作成した電子透かし音を上記音楽データと合成して記録する方法によるものである。
【００１２】
また、例えば、特開２００５−８４６２５号公報に記載されているように、自然音に存在する倍音を人工的に加工し、元の音情報に対して、その音色に対応した倍音を信号化して電子透かし音を作成し、これを元の音情報に合成する方法などを採用することができる。
【００１３】
前述したように、前記の音情報に付加される所定の付加情報は、前述した二次元コードを利用し、携帯電話などの携帯情報端末に当該二次元コードを取り込み、これから当該二次元コードに含まれているＵＲＬを再生し、このＵＲＬで特定される情報配信サーバに当該携帯情報端末から無線や有線のネットワークを介してアクセスし、当該情報配信サーバから、前記携帯情報端末を操作している者が取得することを希望する情報を入手する、従来の情報配信システムにおける二次元コードと同様の役割を果たすものである。
【００１４】
すなわち、本発明の音情報を利用した携帯情報端末による情報取得支援システム及び情報取得方法を利用するべく、自己が所有している携帯情報端末の音情報取得部（例えば、携帯電話の通常の音声通話に使用される送話部などのマイクロフォン）を介して前記音情報を取得する者が、当該音情報に付加されている前記の付加情報を分離処理し、この付加情報に含まれているＵＲＬを再生し、このＵＲＬで特定される情報配信サーバに当該携帯情報端末から無線や有線のネットワークを介してアクセスし、当該情報配信サーバから、前記携帯情報端末を操作している者が希望する情報を入手することができるものである。
【００１５】
ようするに、音情報に付加される所定の付加情報は、本発明の音情報を利用した携帯情報端末による情報取得支援システム及び情報取得方法を提供する者が、インターネット等無線又は有線のネットワークに接続可能に設置しているウェッブサイトに対して、インターネット等のネットワークを介してアクセスする際に必要な、当該ウェッブサイトのＵＲＬを含む、あるいはこのようなＵＲＬが前記の分離処理が行う処理動作によって、前記の音情報に付加される所定の付加情報から再生させるものであればよい。
【００１６】
また、音情報に付加される前記の所定の付加情報を、テキストデータや、音情報とすることもできる。
【００１７】
例えば、音情報が、運転中の電車などにおいてアナウンスされ、次の到着駅を案内するアナウンス情報（例えば、「次の到着駅は○○駅です。」という音情報）である場合、この音情報に対応するテキストデータ「次の到着駅は○○駅です。」あるいは「next stop is ○○ station」のようなテキストデータが付加情報として前記の音情報に付加されていて、本発明のシステム・方法を利用しようとする者が、当該アナウンス情報（「次の到着駅は○○駅です。」という音情報）を自己が所持している携帯電話のマイクロフォンから取得し、これを携帯電話の中に備えられている「音情報から、当該音情報に付加されている付加情報を分離処理する付加情報分離処理部」によって分離し、テキスト情報として再生し、分離処理された付加情報をテキストデータとして出力する出力部に該当する装置、例えば、携帯電話の液晶画面に「次の到着駅は○○駅です。」あるいは「next stop is ○○ station」というテキスト情報として表示させるようにすることもできる。
【００１８】
また、前記のアナウンス情報（「次の到着駅は○○駅です。」という音情報）に対応する音情報（「next stop is ○○ station」という英語の音声情報）のような他の音情報が付加情報として付加されているときに、当該アナウンス情報（「次の到着駅は○○駅です。」という音情報）を、本発明のシステム・方法を利用しようとする者が、自己が所持している携帯電話のマイクロフォンから取得し、これを携帯電話の中に備えられている「音情報から、当該音情報に付加されている付加情報を分離処理する付加情報分離処理部」によって分離し、音情報として再生し、分離処理された付加情報を音情報として出力する出力部に該当する装置、例えば、携帯電話の音声出力部（スピーカ）から「next stop is ○○ station」という音情報を出力させるようにすることもできる。
【００１９】
すなわち、前記の本発明のシステムにおける、音情報に所定の付加情報（例えば、インターネット等のネットワークに接続されている情報提供サーバの所在を特定するＵＲＬを含む、あるいは当該ＵＲＬを再生できる情報や、テキストデータや、音情報など、例えば、当該音情報に対応するテキストデータや、当該音情報に対応する他の音情報）を付加する付加情報付加手段としては、例えば、このような付加情報を、前述した従来技術における電子透かし音とし、これを音情報に埋め込む、電子透かし埋め込み装置を採用することができる。
【００２０】
そして、前記の本発明のシステムにおける、音情報から前記付加されている付加情報を分離処理する付加情報分離処理部としては、前記の電子透かし埋め込み装置によって音情報に埋め込まれている電子透かし音を、元になっている音情報（例えば、音楽）から分離し、この付加情報から、前述した従来の二次元コードを利用した情報配信システムで行われているように、当該付加情報に含まれている、あるいは、当該付加情報で特定されるＵＲＬを再生する、あるいは、前述したようにテキストデータを再生したり、他の音情報を再生する処理動作を行うものとすることができる。
【００２１】
なお、前記において、携帯情報端末は、例えば、インターネット等の無線又は有線のネットワークに接続されているウェブサイトにアクセスして、相互に交信し、当該ウェブサイトを閲覧する機能を有する携帯電話、ＰＤＡ、パーソナルコンピュータ、ＤＶＤなどにすることができる。そして、この場合、前記の音情報取得部は、前述した携帯電話などが備えている、通常の音声通話に使用される送話部などのマイクロフォンからなるものにすることができる。
【００２２】
以上説明したいずれの本発明のシステムにおいても、前述した付加情報分離処理部によって前記のように元となっている音情報から分離し、再生したＵＲＬや、テキストデータ、他の音情報などは、携帯情報端末に備えられているＲＡＭなどの記憶部に記憶、保存したり、当該携帯情報端末が有する通信機能、データ転送機能などを利用して、電子メールに添付したり、赤外線を利用する等して、他の携帯情報端末などに送ることができる。
【００２３】
次に、前記の目的を達成するため、この発明は、音情報に所定の付加情報を付加する工程と、当該付加情報が付加されている音情報を出力する工程と、当該付加情報が付加されている音情報を取得する工程と、当該取得した音情報から前記付加されている付加情報を分離処理する工程と、当該分離処理された付加情報で特定される情報提供サーバにアクセスする工程、又は、当該分離処理された付加情報をテキストデータ又は音情報として出力する工程とを有することを特徴とする音情報を利用した携帯情報端末による情報取得方法を提案するものである。
【００２４】
この本発明の音情報を利用した携帯情報端末による情報取得方法は、前述した本発明の音情報を利用した携帯情報端末による情報取得支援システムを実施することにより実現されるものである。
【発明の効果】
【００２５】
この発明によれば、本発明の音情報を利用した携帯情報端末による情報取得支援システム及び情報取得方法を提供する者は、従来の二次元コードを利用した情報配信システムで行われているように、二次元コードが印刷されている印刷物や、シール等を準備し、これを頒布等する必要がなくなる。
【００２６】
本発明の音情報を利用した携帯情報端末による情報取得支援システム及び情報取得方法を提供する者が、インターネット等の有線又は無線のネットワークに接続可能に設置しているウェッブサイトに対して、携帯電話のような携帯情報端末から、インターネット等の有線又は無線のネットワークを介してアクセスする際に必要な、当該ウェッブサイトのＵＲＬを含む、あるいはこのようなＵＲＬが再生可能な付加情報を、音楽などの音情報に付加して放送する、あるいは、街の中などにおいて、スピーカから流す、若しくは、当該付加情報が付加されている音情報（例えば、音楽）が録音されている記録媒体（例えば、ＣＤなど）を販売することによって、自己が運営している前記のウェッブサイトに、携帯電話のような携帯情報端末を利用している多くの人を誘導することが可能になる。
【００２７】
一方、本発明の音情報を利用した携帯情報端末による情報取得支援システム及び情報取得方法を利用する者は、自己が所有している携帯電話のような携帯情報端末の音情報取得部（例えば、携帯電話の通常の音声通話に使用される送話部などのマイクロフォン）を介して前記の音情報を取得し、当該音情報に付加されている前記の付加情報を分離処理し、この付加情報に含まれているＵＲＬを再生し、このＵＲＬで特定される情報配信サーバ（すなわち、本発明の音情報を利用した携帯情報端末による情報取得支援システム及び情報取得方法を提供する者が、インターネット等の有線又は無線のネットワークに接続可能に設置しているウェッブサイト）に当該携帯情報端末から、インターネット等の有線又は無線のネットワークを介してアクセスし、当該情報配信サーバから、前記携帯情報端末を操作している者が取得することを希望する情報を簡単に入手することができる。
【００２８】
あるいは、自己が所有している携帯電話のような携帯情報端末の音情報取得部（例えば、携帯電話の通常の音声通話に使用される送話部などのマイクロフォン）を介して前記の音情報を取得し、当該音情報に付加されている前記の付加情報（テキストデータや、他の音情報）を分離処理して再生し、そのテキストデータや他の音情報の内容を確認したり、再生したテキストデータや他の音情報を、携帯情報端末が有する通信機能、データ転送機能などを利用して、他の携帯情報端末などに送ることができる。
【発明を実施するための最良の形態】
【００２９】
以下、添付図面を参照して本発明の好ましい実施形態を説明する。
【００３０】
図１は、本発明の音情報を利用した携帯情報端末による情報取得支援システムの構成の概要を説明するものである。
【００３１】
本発明のシステムは、インターネット等の有線又は無線のネットワーク等の通信回線１に接続されているウェブサイト（例えば、本発明の音情報を利用した携帯情報端末による情報取得支援システムを提供する者が設置している情報提供サーバ２）にアクセスして、相互に交信し、当該ウェブサイトを閲覧する機能を有する携帯電話等の携帯情報端末３を備えてなる。
【００３２】
この携帯情報端末３は、音情報を取得する音情報取得部と、音情報取得部で取得した音情報から当該音情報に付加されている付加情報を分離処理する付加情報分離処理部と、当該分離処理された付加情報で特定される情報提供サーバ２にアクセスする出力部とを有する。
【００３３】
前記の音情報取得部は、図２に概略構成が示されている携帯電話において、通常の音声通話に使用されるマイク（マイクロフォン）、音声処理部からなる。
【００３４】
この音情報取得部で取得した音情報から当該音情報に付加されている付加情報を分離処理する前記の付加情報分離処理部５は、ＣＰＵなどの処理動作部が、ＲＯＭ、ＲＡＭなどに格納されているコンピュータプログラムの指示のもとに所定の処理動作を行うことによって実現されるものである。
【００３５】
ここで、前記の付加情報は、携帯情報端末３を操作している者が、通信回線１を介して情報提供サーバ２にアクセスする際に必要な、情報提供サーバ２のＵＲＬを含む、あるいはこのようなＵＲＬが前記の付加情報分離処理部５が行う所定の処理動作によって当該付加情報から再生可能になっているものである。
【００３６】
かかる付加情報は、不図示の電子透かし埋め込み装置によって、電子透かし音として準備されて、携帯情報端末３のマイクロフォン４で取得する音情報に、あらかじめ、埋め込まれている。
【００３７】
そこで、前記の付加情報分離処理部５が行う所定の処理動作は、不図示の電子透かし埋め込み装置によって、携帯情報端末３のマイクロフォン４で取得する音情報に、あらかじめ、埋め込まれている電子透かし音からなる付加情報を、元になっている音情報（例えば、音楽）から分離し、この付加情報から、従来の二次元コードを利用した情報配信システムで行われているように、当該付加情報に含まれている、あるいは、当該付加情報で特定されるＵＲＬを再生する処理動作である。
【００３８】
なお、携帯情報端末３におけるＣＰＵなどの処理動作部が、前述した付加情報分離処理部５が行う所定の処理動作を実行するように指示するコンピュータプログラムや、Ｊａｖａ（登録商標）アプリケーションプログラムなどは、携帯情報端末３から所定の無線又は有線の通信回線を介して所定のウェブサイトにアクセスして取得し、携帯情報端末３の記憶部（例えば、ＲＡＭ）に格納しておくことができる。
【００３９】
次に、図３を参照して、前述した本発明の音情報を利用した携帯情報端末による情報取得支援システムを用いた、本発明の音情報を利用した携帯情報端末による情報取得方法の一例を説明する。
【００４０】
まず、本発明の音情報を利用した携帯情報端末による情報取得支援システム及び情報取得方法を提供する者は、この目的のためにインターネット等のネットワークに接続可能に設置している情報提供サーバ２への通信回線１を介したアクセスを可能にする、当該情報提供サーバ２を特定する情報であるＵＲＬを含む付加情報を、不図示の電子透かし埋め込み装置によって、電子透かし音として準備し、当該電子透かし音を、音情報（例えば、音楽情報に）埋め込むことにより付加する（ステップ１）。
【００４１】
次に、前記のように付加情報が付加されている音情報を出力する（ステップ２）。
【００４２】
この付加情報が付加されている音情報を出力する工程としては、例えば、音楽をテレビ、ラジオなどの種々の手段を用いて放送する、街や店の中などにおいてスピーカから音楽を流す、付加情報が付加されている音情報（例えば、音楽）が録音されている記録媒体（例えば、ＣＤなど）を販売し、これを購入した者（消費者など）が所定の再生手段（例えば、ＣＤプレイヤーなど）で当該記録媒体に記録されている音情報を再生する、携帯情報端末３を介して所定のウェブサイトにアクセスして、付加情報が付加されている音情報（例えば、音楽）を携帯情報端末３の記憶手段（例えば、ＲＡＭ）に格納し、これを再生して、携帯情報端末３のスピーカから出力する、等々の形態が考えられる。
【００４３】
一方、本発明の音情報を利用した携帯情報端末による情報取得支援システム及び情報取得方法を利用する者は、前述したように付加情報が付加されている音情報を、自己が所有している携帯情報端末３のマイクロフォン４で取得する（ステップ３）。
【００４４】
こうしてマイクロフォン４で取得した音情報（例えば、音楽）は、携帯情報端末３の記憶部（例えば、ＲＡＭ）に格納しておき、出力部に該当する通信処理部により、インターネット等の無線又は有線のネットワークを介して他へ送信したり、赤外線によりデータ送信等することができる。
【００４５】
次に、付加情報分離処理部５により、当該取得した音情報から前記付加されている付加情報を分離処理する工程が行われる（ステップ４）。すなわち、前記の音情報に、あらかじめ、埋め込まれていた電子透かし音からなる付加情報を、元になっている音情報（例えば、音楽）から分離し、この付加情報から、従来の二次元コードを利用した情報配信システムで行われているように、当該付加情報に含まれている、あるいは、当該付加情報で特定されるＵＲＬを再生する。
【００４６】
この工程で再生されたＵＲＬも、携帯情報端末３の記憶部（例えば、ＲＡＭ）に格納しておき、出力部に該当する通信処理部により、インターネット等の無線又は有線のネットワークを介して他へ送信したり、赤外線によりデータ送信等することができる。
【００４７】
ついで、携帯情報端末３を操作している者（すなわち、本発明の音情報を利用した携帯情報端末による情報取得支援システム及び情報取得方法を利用する者）は、前記のように分離処理された付加情報で特定される情報提供サーバにアクセスする（ステップ５）。すなわち、前記のように再生されたＵＲＬを用い、出力部に該当する通信処理部により、当該ＵＲＬで特定される情報提供サーバ２に通信回線１を介してアクセスする。
【００４８】
情報提供サーバ２には、本発明の音情報を利用した携帯情報端末による情報取得支援システム及び情報取得方法を提供する者が準備している提供情報データベースが備えられており、前記のように情報提供サーバ２にアクセスした携帯情報端末３を操作している者（すなわち、本発明の音情報を利用した携帯情報端末による情報取得支援システム及び情報取得方法を利用する者）は、この提供情報データベースを検索して、希望する情報を入手することができる。例えば、希望する音楽をダウンロードしたり、希望する商品やサービスに関する情報を入手することなどができる（ステップ６）。
【００４９】
以上、添付図面を参照して本発明の好ましい実施形態を説明したが、本発明はかかる実施形態に限定されるものではなく、特許請求の範囲の記載から把握される技術的範囲において種々の形態に変更可能である。
【００５０】
例えば、前記では、本発明の音情報を利用した携帯情報端末による情報取得支援システム及び情報取得方法を提供する者が、インターネット等の有線又は無線のネットワークに接続可能に設置しているウェッブサイトに対して、携帯電話のような携帯情報端末から、インターネット等の有線又は無線のネットワークを介してアクセスする際に必要な、当該ウェッブサイトのＵＲＬを含む、あるいはこのようなＵＲＬが再生可能な付加情報を、音楽などの元となる音情報に付加しておく形態を説明した。しかし、これにとどまらず、元となる音情報に付加する付加情報を、前記の付加情報分離処理部５の機能によって再生される、テキストデータや、他の音情報にしておき、自己が所有する携帯電話などで音情報を取得する、本発明の音情報を利用した携帯情報端末による情報取得支援システム及び情報取得方法を利用する者が、聴覚で取得可能な音情報に追加して、テキストデータによる文字情報などを取得できるようにすることも可能である。
【００５１】
図４は、元となる音情報に付加する付加情報が、前記の付加情報分離処理部５の機能によって再生される、テキストデータや、他の音情報である場合の、本発明による音情報を利用した携帯情報端末による情報取得支援システム及び情報取得方法の工程の一例を説明する流れ図で、図３に対応するものである。図４中、ステップ１１〜ステップ１４の工程は、図３のステップ１〜ステップ４の工程に対応している。
【００５２】
ステップ１５では、元となる音情報に付加されていた付加情報が、前記の分離処理部の機能によって再生される、テキストデータや、他の音情報であるので、音情報から、当該音情報に付加されている付加情報を分離処理する付加情報分離処理部５によって分離し、テキスト情報として再生し、あるいは、他の音情報として再生し、分離処理された付加情報をテキストデータとして出力する出力部に該当する装置、例えば、携帯情報端末３の液晶画面、あるいは、分離処理された付加情報を音情報として出力する出力部に該当する装置、例えば、携帯情報端末３の音声出力部（スピーカ）から出力するものである。
【００５３】
ここでも、前記の図３を用いて説明した実施形態と同様に、付加情報分離処理部５によって元となっている音情報から分離し、再生したテキストデータ、他の音情報などは、携帯情報端末３に備えられているＲＡＭなどの記憶部に記憶、保存したり、携帯情報端末３が有する通信機能、データ転送機能などを利用して、電子メールに添付したり、赤外線を利用する等して、他の携帯情報端末などに送ることができる。
【図面の簡単な説明】
【００５４】
【図１】本発明の音情報を利用した携帯情報端末による情報取得支援システムの構成の概要の一例を説明する概略構成図。
【図２】本発明の音情報を利用した携帯情報端末による情報取得支援システムに採用される携帯情報端末の構成の概要の一例を説明する概略構成図。
【図３】本発明の音情報を利用した携帯情報端末による情報取得方法の一例を説明するフロー図。
【図４】本発明の音情報を利用した携帯情報端末による情報取得方法の他の一例を説明するフロー図。
【符号の説明】
【００５５】
１  通信回線
２  情報提供サーバ
３  携帯情報端末
５  付加情報分離処理部
４  マイクロフォン
【図１】
2007195105.tif 000003
【図２】
2007195105.tif 000004
【図３】
2007195105.tif 000005
【図４】
2007195105.tif 000006